(57)【要約】【課題】  飲料の素等の混入物を飲料水に短時間でムラなく均一に混合できる飲料容器用キャップを提供する。【解決手段】  飲料容器Ｐの口部Ｐａに脱着自在に螺合される飲料容器用キャップ１であって、キャップ本体２の内側に所定容量の空間４を形成し、同空間４に飲料容器Ｐの飲料水Ｗに混合する混入物Ｆを収容し、同空間４の開口に中蓋５を空間方向へ脱離可能に取り付けて封止し、同中蓋５の外面に飲料容器Ｐの口部Ｐａと当接される突起５ｂを形成し、キャップ本体２を飲料容器Ｐの口部Ｐａに螺合後、閉塞方向の回転により中蓋５の突起５ｂを口部Ｐａに当接して中蓋３を押し上げることで脱離させ、飲料水Ｗをキャップ本体２の空間４に流入させて混入物Ｆと混合できるようにした。【選択図】図１
2005350127.tif 000002
【特許請求の範囲】
【請求項１】
飲料容器の口部に脱着自在に螺合される飲料容器用キャップにおいて、キャップ本体の内側に螺合時において飲料容器の飲料水に混合する混入物を収容する所定容量の空間を形成し、キャップ本体の底部に空間を密閉する中蓋を空間方向へ脱離可能に取り付け、同中蓋の外面側に螺合時において飲料容器の口部と当接して中蓋を脱離させる突起を設け、キャップ本体の前記空間を中蓋の脱離で飲料容器とキャップ本体の空間とを連通させた後流入した飲料水と混入物とを中蓋の動きにより撹拌させる混合室として使えるようにしたことを特徴とする飲料容器用キャップ。
【請求項２】
中蓋の片面又は両面に飲料用水を撹拌する撹拌体を設けた請求項１記載の飲料容器用キャップ。
【請求項３】
撹拌体が、中蓋の上下面それぞれに複数の棒体を突設して構成されたものである請求項２記載の飲料容器用キャップ。
【請求項４】
撹拌体が、中蓋の上下面それぞれに所定重量を有する球体を突設して構成されたものである請求項２記載の飲料容器用キャップ。
【請求項５】
撹拌体が、中蓋の上下面それぞれに螺旋状に隆起させたスクリュー体を突設して構成されたものである請求項２記載の飲料容器用キャップ。
【請求項６】
キャップ本体が透明又は半透明で、空間の混合状態が分かるようにした請求項１〜５いずれか記載の飲料容器用キャップ。
【請求項７】
キャップ本体の天面を開放して上蓋を脱着自在に取り付けた請求項１〜６いずれか記載の飲料容器用キャップ。
【発明の詳細な説明】
【技術分野】
【０００１】
本発明は、ペットボトル等の飲料容器の口部に脱着自在に螺合されるキャップに関する。
【背景技術】
【０００２】
従来、ペットボトル等の飲料容器に螺合されるキャップに例えばジュース・茶・コーヒー類の飲料の素等の混入物を収容しておき、飲用時にキャップ内の混入物を容器内の飲料用水に入れて混合することで飲料を生成して飲用に供するものが特許文献１〜３に提案されている。これらの技術は、いずれも飲料容器を上下左右に振ることで混合させるが、その際飲用前の容器内の飲料水はおよそ満杯で空気が少ないから混入物が混ざりにくい問題があり、飲用に供するまで時間を要していた。
【特許文献１】特開２００３−７２８２２号公報
【特許文献２】特開２００４−８３０２２号公報
【特許文献３】特開２００４−１１５０７５号公報
【発明の開示】
【発明が解決しようとする課題】
【０００３】
本発明が解決しようとする課題は、従来のこれらの問題点を解消し、混入物を短時間で均一に混合できる飲料容器用キャップを提供することにある。
【課題を解決するための手段】
【０００４】
かかる課題を解決した本発明の構成は、
１）  飲料容器の口部に脱着自在に螺合される飲料容器用キャップにおいて、キャップ本体の内側に螺合時において飲料容器の飲料水に混合する混入物を収容する所定容量の空間を形成し、キャップ本体の底部に空間を密閉する中蓋を空間方向へ脱離可能に取り付け、同中蓋の外面側に螺合時において飲料容器の口部と当接して中蓋を脱離させる突起を設け、キャップ本体の前記空間を中蓋の脱離で飲料容器とキャップ本体の空間とを連通させた後流入した飲料水と混入物とを中蓋の動きにより撹拌させる混合室として使えるようにしたことを特徴とする飲料容器用キャップ
２）  中蓋の片面又は両面に飲料用水を撹拌する撹拌体を設けた前記１）記載の飲料容器用キャップ
３）  撹拌体が、中蓋の上下面それぞれに複数の棒体を突設して構成されたものである前記２）記載の飲料容器用キャップ
４）  撹拌体が、中蓋の上下面それぞれに所定重量を有する球体を突設して構成されたものである前記２）記載の飲料容器用キャップ
５）  撹拌体が、中蓋の上下面それぞれに螺旋状に隆起させたスクリュー体を突設して構成されたものである前記２）記載の飲料容器用キャップ
６）  キャップ本体が透明又は半透明で、空間の混合状態が分かるようにした前記１）〜５）いずれか記載の飲料容器用キャップ
７）  キャップ本体の天面を開放して上蓋を脱着自在に取り付けた前記１）〜６）いずれか記載の飲料容器用キャップ
にある。
【発明の効果】
【０００５】
本発明によれば、飲料水をキャップの空間に取り込んで脱離した中蓋の動きで混入物と混合させるようにしたから、従来と比較して短時間でムラなく均一に混合でき、飲用に供するまで手間を要しないものとなる。
【発明を実施するための最良の形態】
【０００６】
本発明の飲料水としては、ミネラルウォーター，清涼飲料，果実飲料，飲料用野菜ジュース，乳清飲料，コーヒー，茶，アルコール飲料があり、混入物としてはミネラルウォーターに対しては前記清涼飲料等の各飲料の素が用いられ、他のコーヒー等には飲用者が好みに応じて混入する砂糖，シロップ，クリーム等が用いられる。中蓋には撹拌体を設けておくと、中蓋のみの動きでは混合が不十分となりやすい飲料や、より短時間に混合させたい場合に効果的である。以下、本発明の実施例を図面に基づいて具体的に説明する。
【実施例１】
【０００７】
図１〜４に示す実施例１は、本発明を自動販売機で販売されるペットボトル飲料の飲料容器に適用した例である。図１は実施例のキャップの装着状態を示す縦断面図、図２は実施例の中蓋の斜視図、図３，４は実施例のキャップの使用状態を示す説明図である。
【０００８】
本実施例の飲料容器用キャップ１は、図１に示すようにキャップ本体２は飲料容器Ｐと略同径の円筒状で透明なプラスチックで構成され、下方は縮径した装着口２ａを開口して飲料容器Ｐの口部Ｐａのねじ山Ｐｂと螺合するねじ山２ｃを形成し、上方は混入物Ｆの投入口２ｂを開口して上蓋３を脱着自在に取り付け、装着口２ａ周囲のキャップ２内底面に環状の溝２ｄを形成している。４は混入物Ｆを貯留し、飲料容器Ｐの飲料水Ｗと混合する空間である。
【０００９】
５は中蓋であって、円板状の外縁に前記キャップ２の溝２ｄに嵌入するフランジ５ａを形成し、板面に突起５ｂを前記飲料容器Ｐの口部Ｐａの径と同径の環状に複数突設し、同突起５ｂに囲まれた内側に突起５ｂより長い棒体５ｃを複数本突設している。なお、フランジ５ａ・突起５ｂ・棒体５ｃは上下面に対称に形成している。
【００１０】
本実施例では、キャップ２内に中蓋５を挿入してそのフランジ５ａをキャップ２の溝２ｄに嵌入して取り付け、形成された空間４に例えば茶の素からなる粉体状の混入物Ｆを所要量投入して上蓋３で封止し、飲料水Ｗを入れた飲料容器Ｐの口部Ｐａに螺合する。このとき、中蓋５の下側の突起５ｂが口部Ｐａの上端と接するか又は接しない位置で螺合を止めておく。
【００１１】
飲用時は、図３に示すようにキャップ２を閉塞方向（飲料容器Ｐの口部Ｐａを塞ぐ方向）へ回転させると、中蓋５の下側の突起５ｂが飲料容器Ｐの口部Ｐａの上端で押し上げられて空間４側へ脱離し、図４に示すように飲料容器Ｐを逆様にして飲料容器Ｐ内の飲料水Ｗを空間４へ流入させる。この状態で脱離した中蓋５は空間４内で浮遊しており、飲料容器Ｐを上下に振ることで激しく動いて飲料水Ｗと混入物Ｆを棒体５ｃにより短時間でムラなく混合させる。
【００１２】
混入物Ｆが十分に混合されたら、飲料容器Ｐを元の向きにして飲料容器Ｐ内に戻し、再度軽く振ることで全体を混合させて飲料Ｗａとする。このように、本実施例では飲料水Ｗをキャップ２内に取り込んで中蓋５の動きで混入物Ｆと混合させるようにしたから、従来と比較して短時間でムラなく均一に混合でき、飲用に供するまで手間を要しないものとなった。
【００１３】
図５に示すのは、実施例の飲料容器用キャップの他の例である。図５は実施例の他の例のキャップの装着状態を示す縦断面図である。図５に示す飲料容器用キャップ１は中蓋５から棒体５ｃを省略したものであり、シロップ等混ざりやすい混入物Ｆであれば中蓋５のみで十分に撹拌できる。その他、符号、構成は実施例と同じである。
【００１４】
図６〜８に示すのは、実施例の中蓋の他の例である。図６〜８は実施例の他の例の中蓋の斜視図である。図６に示す中蓋５は、棒体５ｃに代えて所定重量を有する球体５ｄを上下に突設しており、球体５ｄの重量で中蓋５を空間４内でより激しく動かして効果的に混合できるようにしている。図７に示す中蓋５は、棒体５ｃに代えて螺旋状に隆起させたスクリュー体５ｅを上下に突設しており、スクリュー体５ｅの螺旋で中蓋５を空間４内で回転させて効果的に混合できるようにしている。図８に示す中蓋５は、上側の棒体５ｃに代えて所定意匠のキャラクター体５ｆを設けており、撹拌効果を有しつつ透明のキャップ本体２から透けて見せることで商品性を高めたものである。なお、図６，７の突起５ｂは湾状に形成して飲料容器Ｐの口部Ｐａと同口径線上に２体対向して突設し、口部Ｐａの押し上げに対する強度を高めている。その他、符号、構成は実施例と同じである。
【産業上の利用可能性】
【００１５】
本発明は、茶・ジュース・コーヒー等飲用直前に飲料水に混合して飲用に供されるものに利用できる。
【図面の簡単な説明】
【００１６】
【図１】実施例のキャップの装着状態を示す縦断面図である。
【図２】実施例の中蓋の斜視図である。
【図３】実施例のキャップの使用状態を示す説明図である。
【図４】実施例のキャップの使用状態を示す説明図である。
【図５】実施例の他の例のキャップの装着状態を示す縦断面図である。
【図６】実施例の他の例の中蓋の斜視図である。
【図７】実施例の他の例の中蓋の斜視図である。
【図８】実施例の他の例の中蓋の斜視図である。
【符号の説明】
【００１７】
１  飲料容器用キャップ
２  キャップ本体
２ａ  装着口
２ｂ  投入口
２ｃ  ねじ山
２ｄ  溝
３  上蓋
４  空間
５  中蓋
５ａ  フランジ
５ｂ  突起
５ｃ  棒体
５ｄ  球体
５ｅ  スクリュー体
５ｆ  キャラクター体
Ｆ  混入物
Ｐ  飲料容器
Ｐａ  口部
Ｐｂ  ねじ山
Ｗ  飲料水
Ｗａ  飲料
【図１】
2005350127.tif 000003
【図２】
2005350127.tif 000004
【図３】
2005350127.tif 000005
【図４】
2005350127.tif 000006
【図５】
2005350127.tif 000007
【図６】
2005350127.tif 000008
【図７】
2005350127.tif 000009
【図８】
2005350127.tif 000010